(57)【要約】【課題】ガラス枠などの透明板保持枠の一部を開放させて不正などを行うおそれを低減させることが可能な遊技機の提供を目的とする。【解決手段】遊技盤保持枠Ｗ２に配設され、透明板保持枠Ｗ３の少なくとも一部が遊技盤保持枠Ｗ２に対して開放したことを検出する第１透明板保持枠開放検出手段６７と、第１透明板保持枠開放検出手段６７と異なって遊技盤２に配置され、透明板保持枠Ｗ３の少なくとも一部が遊技盤保持枠Ｗ２に対して開放したことを検出する第２透明板保持枠開放検出手段６５と、第１透明板保持枠開放検出手段及び第２透明板保持枠開放検出手段のうち少なくとも一方で透明板保持枠の少なくとも一部が遊技盤保持枠に対して開放したことを検出した場合に、透明板保持枠が開放したことを報知する報知手段と、を備えた構成とした。【選択図】図２
2010104634.tif 000002
【特許請求の範囲】
【請求項１】
遊技領域を前面に有する遊技盤と、
前記遊技盤を保持する遊技盤保持枠と、
前記遊技盤の前面側に配置されて前記遊技領域を視認可能な透明板と、
前記遊技盤の前面側に配置されて前記遊技盤保持枠に対して開閉可能に設けられると共に前記透明板を保持する透明板保持枠と、
を備えた遊技機において、
前記遊技盤保持枠に配設され、前記透明板保持枠の少なくとも一部が前記遊技盤保持枠に対して開放したことを検出する第１透明板保持枠開放検出手段と、
前記第１透明板保持枠開放検出手段と異なって前記遊技盤に配置され、前記透明板の少なくとも一部が前記遊技盤保持枠に対して開放したことを検出する第２透明板保持枠開放検出手段と、
前記第１透明板保持枠開放検出手段及び前記第２透明板保持枠開放検出手段のうち少なくとも一方で前記透明板保持枠又は前記透明板の少なくとも一部が前記遊技盤保持枠に対して開放したことを検出した場合に、前記透明板保持枠又は前記透明板が開放したことを報知する報知手段と、
を備えたことを特徴とする遊技機。
【請求項２】
前記第１透明板保持枠開放検出手段の検出は、前記透明板保持枠及び前記遊技盤保持枠の一方に設けられた検出部と他方に設けられた被検出部とで行われ、前記第２透明板保持枠開放検出手段の検出は、前記透明板及び前記遊技盤の一方に設けられた検出部と他方に設けられた被検出部とにより行われることを特徴とする請求項１に記載の遊技機。
【請求項３】
前記第１透明板保持枠開放検出手段は、前記遊技盤保持枠の上方側、下方側、側方側のうち何れか一つの位置に設けられ、
前記第２透明板保持枠開放検出手段の位置は、前記第１透明板保持枠開放検出手段の位置が前記遊技盤保持枠の上方側の場合には前記遊技盤の下方側、前記第１透明板保持枠開放検出手段の位置が前記遊技盤保持枠の下方側の場合には前記遊技盤の上方側、前記第１透明板保持枠開放検出手段の位置が前記遊技盤保持枠の側方側の場合には前記遊技盤の両側側方のうち前記第１透明板保持枠開放検出手段が位置する側とは反対の側方であることを特徴とする請求項１又は２に記載の遊技機。
【請求項４】
前記第１透明板保持枠開放検出手段及び前記第２透明板保持枠開放検出手段が、前記透明板の取り付けられた前記透明板保持枠が前記遊技盤保持枠に対して閉鎖したことを検出した場合に、前記報知手段による報知を停止する停止手段を備えたことを特徴とする請求項１から３の何れか一項に記載の遊技機。
【請求項５】
前記透明板は、前記透明板保持枠に対して着脱可能とされ、
前記第２透明板保持枠検出手段は、前記透明板保持枠が前記遊技盤保持枠に対して閉鎖した状態で、前記透明板が前記透明板保持枠への取り付け位置から外れたことを検出して前記報知手段で報知することを特徴とする請求項１から４の何れか一項に記載の遊技機。
【請求項６】
前記第１透明板保持枠開放検出手段及び前記第２透明板保持枠開放検出手段は、各々押すことが可能な押部を備え、
前記第１透明板保持枠開放検出手段の押部は、前記透明板保持枠が前記遊技盤保持枠に対して閉鎖した状態において前記透明板保持枠の前記透明板以外の裏面側の部分で押されるように構成され、
一方、前記第２透明板保持枠開放検出手段の押部は、前記透明板保持枠が前記遊技盤保持枠に対して閉鎖した状態において前記透明板保持枠に取り付けられている透明板の裏面側の部分で押される構成とされ、
前記第１透明板保持枠開放検出手段は、前記押部が押されることが解除されることにより、前記透明板保持枠の少なくとも一部が前記遊技盤保持枠に対して開放したことあるいは前記透明板の少なくとも一部が前記透明板保持枠への取り付け位置から外れたことを検出し、
前記第２透明板保持枠開放検出手段は、前記押部が押されることが解除されることにより、前記透明板保持枠の少なくとも一部が前記遊技盤保持枠に対して開放したことあるいは前記透明板の少なくとも一部が前記透明板保持枠への取り付け位置から外れたことを検出することを特徴とする請求項１から５の何れか一項に記載の遊技機。
【請求項７】
前記報知手段は、前記第１透明板保持枠開放検出手段又は前記第２透明板保持枠開放検出手段の何れかが検出した場合に異常報知として報知することを特徴とする請求項１から６の何れか一項に記載の遊技機。
【発明の詳細な説明】
【技術分野】
【０００１】
本発明は、透明板保持枠の開放を検知して報知する遊技機に関する。
【背景技術】
【０００２】
従来、遊技盤を保持する遊技盤枠の一部にガラス枠開放検出装置を備えた遊技機がある。このような遊技機では、例えば、ガラス枠を開放して遊技盤上の入賞装置に故意に遊技媒体を入賞させて賞球を払い出させるという不正を行おうとすると、ガラス枠を開放した際にガラス枠開放検出装置がガラス枠の開放を検知して報知手段で報知するため、不正を低減することが可能である。
【０００３】
【特許文献１】特開２０００−１７６１３９号公報
【０００４】
しかしながら、従来のガラス枠開放検出装置を有する遊技機においては、ガラス枠の開放を検知させないために、例えば、ガラス枠開放検出装置が位置するガラス枠の部分を押さえてガラス枠が開放していない状態と認識させながら、ガラス枠開放検出装置が位置しない部分でガラス枠を開けて隙間を形成し、その隙間からピアノ線等を遊技盤上に挿入して入賞装置を入賞状態にするという不正が行われるおそれがある。
【発明の開示】
【発明が解決しようとする課題】
【０００５】
本発明は、前記の点に鑑みなされたものであって、ガラス枠などの透明板保持枠の少なくとも一部あるいは透明板の少なくとも一部を開放させて不正などを行うおそれを低減させることが可能な遊技機の提供を目的とする。
【課題を解決するための手段】
【０００６】
請求項１の発明は、遊技領域を前面に有する遊技盤と、前記遊技盤を保持する遊技盤保持枠と、前記遊技盤の前面側に配置されて前記遊技領域を視認可能な透明板と、前記遊技盤の前面側に配置されて前記遊技盤保持枠に対して開閉可能に設けられると共に前記透明板を保持する透明板保持枠と、を備えた遊技機において、前記遊技盤保持枠に配設され、前記透明板保持枠の少なくとも一部が前記遊技盤保持枠に対して開放したことを検出する第１透明板保持枠開放検出手段と、前記第１透明板保持枠開放検出手段と異なって前記遊技盤に配置され、前記透明板の少なくとも一部が前記遊技盤保持枠に対して開放したことを検出する第２透明板保持枠開放検出手段と、前記第１透明板保持枠開放検出手段及び前記第２透明板保持枠開放検出手段のうち少なくとも一方で前記透明板保持枠又は前記透明板の少なくとも一部が前記遊技盤保持枠に対して開放したことを検出した場合に、前記透明板保持枠又は前記透明板が開放したことを報知する報知手段と、を備えたことを特徴とする。
【０００７】
請求項２の発明は、請求項１において、前記第１透明板保持枠開放検出手段の検出は、前記透明板保持枠及び前記遊技盤保持枠の一方に設けられた検出部と他方に設けられた被検出部とで行われ、前記第２透明板保持枠開放検出手段の検出は、前記透明板及び前記遊技盤の一方に設けられた検出部と他方に設けられた被検出部とにより行われることを特徴とする。
【０００８】
請求項３の発明は、請求項１又は２において、前記第１透明板保持枠開放検出手段は、前記遊技盤保持枠の上方側、下方側、側方側のうち何れか一つの位置に設けられ、前記第２透明板保持枠開放検出手段の位置は、前記第１透明板保持枠開放検出手段の位置が前記遊技盤保持枠の上方側の場合には前記遊技盤の下方側、前記第１透明板保持枠開放検出手段の位置が前記遊技盤保持枠の下方側の場合には前記遊技盤の上方側、前記第１透明板保持枠開放検出手段の位置が前記遊技盤保持枠の側方側の場合には前記遊技盤の両側側方のうち前記第１透明板保持枠開放検出手段が位置する側とは反対の側方であることを特徴とする。
【０００９】
請求項４の発明は、請求項１から３の何れか一項において、前記第１透明板保持枠開放検出手段及び前記第２透明板保持枠開放検出手段が、前記透明板の取り付けられた前記透明板保持枠が前記遊技盤保持枠に対して閉鎖したことを検出した場合に、前記報知手段による報知を停止する停止手段を備えたことを特徴とする。
【００１０】
請求項５の発明は、請求項１から４の何れか一項において、前記透明板は、前記透明板保持枠に対して着脱可能とされ、前記第２透明板保持枠検出手段は、前記透明板保持枠が前記遊技盤保持枠に対して閉鎖した状態で、前記透明板が前記透明板保持枠への取り付け位置から外れたことを検出して前記報知手段で報知することを特徴とする。
【００１１】
請求項６の発明は、請求項１から５の何れか一項において、前記第１透明板保持枠開放検出手段及び前記第２透明板保持枠開放検出手段は、各々押すことが可能な押部を備え、前記第１透明板保持枠開放検出手段の押部は、前記透明板保持枠が前記遊技盤保持枠に対して閉鎖した状態において前記透明板保持枠の前記透明板以外の裏面側の部分で押されるように構成され、一方、前記第２透明板保持枠開放検出手段の押部は、前記透明板保持枠が前記遊技盤保持枠に対して閉鎖した状態において前記透明板保持枠に取り付けられている透明板の裏面側の部分で押される構成とされ、前記第１透明板保持枠開放検出手段は、前記押部が押されることが解除されることにより、前記透明板保持枠の少なくとも一部が前記遊技盤保持枠に対して開放したことあるいは前記透明板の少なくとも一部が前記透明板保持枠への取り付け位置から外れたことを検出し、前記第２透明板保持枠開放検出手段は、前記押部が押されることが解除されることにより、前記透明板保持枠の少なくとも一部が前記遊技盤保持枠に対して開放したことあるいは前記透明板の少なくとも一部が前記透明板保持枠への取り付け位置から外れたことを検出することを特徴とする。
【００１２】
請求項７の発明は、請求項１から６の何れか一項において、前記報知手段は、前記第１透明板保持枠開放検出手段又は前記第２透明板保持枠開放検出手段の何れかが検出した場合に異常報知として報知することを特徴とする。
【発明の効果】
【００１３】
請求項１の発明によれば、第１透明板保持枠開放検出手段は、遊技盤保持枠に配設されて透明板保持枠の少なくとも一部が遊技盤保持枠に対して開放したことを検出し、また、第２透明板保持枠開放検出手段は、第１透明板保持枠開放検出手段と異なって遊技盤に配置され、透明板の少なくとも一部が遊技盤保持枠に対して開放したことを検出するため、透明板保持枠の開放検出が異なる２箇所の位置で行われることにとなり、透明板保持枠の少なくとも一部あるいは透明板の少なくとも一部を開放させて不正などを行うおそれを低減させることが可能である。
【００１４】
請求項２の発明によれば、第１透明板保持枠開放検出手段の検出は、透明板保持枠及び遊技盤保持枠の一方に設けられた検出部と他方に設けられた被検出部とで行われ、第２透明板保持枠開放検出手段の検出は、透明板及び遊技盤の一方に設けられた検出部と他方に設けられた被検出部とにより行われる構成により、第１透明板保持枠開放検出手段及び第２透明板保持枠開放検出手段のうち少なくとも一方で透明板保持枠あるいは透明板の少なくとも一部が遊技盤保持枠に対して開放したことを検出することが可能である。
【００１５】
請求項３の発明によれば、第１透明板保持枠開放検出手段と第２透明板保持枠開放検出手段が互いに離れた遠くの位置に設けられているため、第１透明板保持枠開放検出手段と第２透明板保持枠開放検出手段のうち一方の透明板保持枠開放検出手段が位置する付近で、透明板保持枠を遊技盤保持枠に押し付けて閉じた状態として認識させ、その位置から離れた位置で透明板保持枠を遊技盤保持枠から開けることにより、透明板保持枠の開放検出を回避しようとしても、他方の透明板保持枠開放検出手段で透明板保持枠の開放を検出することができるので、透明板保持枠の一部を開放させて不正などを行うおそれを低減させることが可能である。
【００１６】
請求項４の発明によれば、透明板保持枠が閉じた状態に戻されることにより、報知を停止させることができ、透明板保持枠が閉じた状態であることが分かる。
【００１７】
請求項５の発明によれば、透明板保持枠を遊技盤保持枠に対して開放させることなく、透明板のみを取り付け位置から外して不正が行われるおそれを低減させることが可能である。
【００１８】
請求項６の発明によれば、透明板保持枠の少なくとも一部が遊技盤保持枠に対して開放したことあるいは透明板が透明板保持枠への取り付け位置から外れたことを検出するための第１透明板保持枠開放検出手段の構成を簡単なものにできると共に、透明板保持枠の少なくとも一部が遊技盤保持枠に対して開放したことあるいは透明板の少なくとも一部が透明板保持枠への取り付け位置から外れたことを検出するための第２透明板保持枠開放検出手段の構成を簡単なものにすることができる。
【００１９】
請求項７の発明によれば、報知手段は、第１透明板保持枠開放検出手段又は第２透明板保持枠開放検出手段の何れかが検出した場合に異常報知として報知することにより、透明板保持枠又は透明板の一部を開放させて不正などを行うおそれを低減することが可能である。
【発明を実施するための最良の形態】
【００２０】
以下、添付の図面に基づき本発明の実施形態を説明する。図１は本発明の一実施例に係る遊技機全体を示す正面図、図２は同遊技機のガラス枠（透明板保持枠）の開放状態を示す概略斜視図、図３は同遊技機の裏側を示す図、図４は同遊技機の遊技盤を示す正面図、図５は同遊技機における左下装飾装置の斜視図、図６は同左下装飾装置の分解斜視図、図７は同遊技機の制御基板や装置等の接続を簡略に示すブロック図である。
【００２１】
図１〜図３に示す遊技機１は、遊技媒体として遊技球を用いるパチンコ遊技機であって、外枠Ｗ１の一側部（本実施例では左側部）にヒンジで開閉自在に取り付けられた前面枠Ｗ２と、前記前面枠Ｗ２の前面側の一側部（本実施例では左側部）にヒンジで開閉自在に取り付けられたガラス枠Ｗ３と、前記前面枠Ｗ２の背面側に設けられた機構板Ｋ（図３に示す）とを有する。前記前面枠Ｗ２は本発明における遊技盤保持枠に相当し、また前記ガラス枠Ｗ３は本発明における透明板保持枠に相当する。
【００２２】
前記外枠Ｗ１は、側枠あるいは木枠とも称されるものであって、遊技機１の外周枠を構成し、長方形の枠形状をしている。
【００２３】
前記前面枠Ｗ２は、本実施例では絶縁性の合成樹脂によって形成され、下部前面に遊技球の発射装置８７と、後述の上側球受け皿７５の満杯時に遊技球を受けるための下側球受け皿７６と、効果音等を発するスピーカ７８が設けられている。前記発射装置８７は、遊技者による操作レバー８８の操作により駆動する発射モータを裏側に有し、該発射モータの駆動により遊技球を弾発発射するようになっている。
【００２４】
前記前面枠Ｗ２の中央上部は、遊技盤２の取付部とされ、前記遊技盤取付部の中央に略円形の開口７１が形成されている。前記開口７１を塞ぐようにして遊技盤２が取り付けられる。本実施例では、前記開口７１を裏側から塞ぐようにして遊技盤２が前面枠Ｗ２に取り付けられている。前記遊技盤２の前面には遊技領域６が設けられ、該遊技領域６が前記開口７１内に位置している。
【００２５】
前記遊技盤２の遊技領域６は、図１及び図４に示すように、遊技盤２の前面の縁に略円形に立設された外側誘導レール３及び内側誘導レール４で包囲された部分からなる。前記遊技領域６には、遊技球を誘導する誘導釘（図示せず）が遊技盤２の前面に設けられている。前記遊技領域６には、中央に表示装置１０が設けられ、前記表示装置１０の下方に左始動口２１、さらに下方に左大入賞口２３、その下方にアウト口２７が形成されている。また、前記表示装置１０の右側には、上方にゲート３１、その下方に右始動口３３が設けられ、さらに下方に右サイドランプ４３が設けられている。また、前記右始動口３３の左側には、前記表示装置１０の右下部付近に右大入賞口３５が設けられ、前記右大入賞口３５の下方に右袖入賞口４４が設けられている。一方、前記表示装置１０の左側下部付近には風車４１が設けられ、さらに前記風車の下方に左下装飾装置５１が設けられている。前記左下装飾装置５１には左袖入賞口６２が設けられている。
【００２６】
前記遊技盤２の主要構成部分について詳述する。前記表示装置１０は、図柄等が表示可能なものであって、液晶，ドットマトリックス若しくはＬＥＤ表示装置等の画像表示装置からなる。本実施例では、液晶表示器（ＴＦＴ−ＬＣＤモジュール）で構成されている。前記表示装置１０は、当否判定の結果を表示するための判定図柄を変動表示可能な表示手段に相当し、左側に左特別図柄（中判定図柄）が、中央に中特別図柄（中判定図柄）が、右側に右特別図柄（右判定図柄）が、それぞれ変動表示し、所定時間変動表示した後、判定結果に基づき左特別図柄、中特別図柄、右特別図柄が確定判定図柄として停止表示される。また、前記表示装置１０には、前記特別図柄（判定図柄）に加えて背景画像（キャラクタ，背景，文字等を含む。）が表示されることもあり、該背景画像が特別図柄の変動開始等の所定条件に起因して変動表示可能となっていてもよい。
【００２７】
前記表示装置１０の下方に位置する前記左始動口２１は、上方から遊技球が入球（入賞）可能に構成され、前記左始動口２１に入球した遊技球を検出する左始動口検出センサ（検出スイッチ）が設けられている。
【００２８】
前記左始動口２１の下方に位置する前記左大入賞口２３は、前記遊技盤２の背面に設けられた左大入賞口ソレノイドによって開閉する開閉板２４を備えている。前記左大入賞口２３は、通常は開閉板２４が閉じた状態とされる。前記左大入賞口２３には左大入賞口２３に入球（入賞）した遊技球を検出する左大入賞口検出センサ（検出スイッチ）が設けられている。
【００２９】
前記表示装置１０の右側上方に位置する前記ゲート３１は、前記ゲート３１を通過した遊技球を検出するゲート検出センサ（検出スイッチ）が設けられている。前記ゲート３１を通過した遊技球は、遊技領域６をさらに下方へ流下可能となっている。
【００３０】
前記ゲート３１の下方に位置する前記右始動口３３は、前面が開口した入球口３４を有し、前記入球口３４の下側に、球受け可動部材３４ａが、遊技盤２背面の右始動口ソレノイドによって遊技盤２の盤面から突出及び後退可能に設けられている。前記球受け可動部材３４ａは、通常では遊技盤面から後退した状態とされて、遊技領域６を流下してくる遊技球が前記右始動口３３の入球口３４に入球するのを困難とする。一方、前記球受け可動部材３４ａが遊技盤面から突出した状態では、遊技領域６を流下してくる遊技球を前記球受け可動部材３４ａで受けて前記入球口３４への入球を容易とする。なお、前記球受け可動部材３４ａが遊技盤面から突出した状態は、前記右始動口３３の開放と称される。前記右始動口３３には、入球した遊技球を検出する右始動口検知センサ（検出スイッチ）が設けられている。
【００３１】
前記右大入賞口３５は、遊技盤２の背面に設けられている右大入賞口ソレノイドによって、略垂直に起立した状態と、右側へ水平近くまで回動して入球口が上向きとなった開放状態間を変位可能に構成されている。前記右大入賞口３５は、通常では起立した状態で遊技球が入球困難な状態とされ、前記回動による開放で遊技球の入球が容易になる。前記右大入賞口３５には、入球した遊技球を検出する右大入賞口検知センサ（検出スイッチ）が設けられている。また、前記右大入賞口３５は、左斜め下方へ向けて遊技球の流路が形成され、該流路の底面には流路途中にＶ入賞口３７が設けられ、最も左斜め下方の先端にカウント入賞口３９が形成されている。前記大入賞口３５に入球した遊技球は、前記流路を流れる際に、遊技球の流下速度が遅い等の場合に流路途中の前記Ｖ入賞口３７に入球し、また遊技球の流下速度が速い等の場合には前記Ｖ入賞口３７を跳び越えて前記カウント入賞口３９に入球する。前記Ｖ入賞口３７には入球した遊技球を検出するＶ入賞口検知センサ（検知スイッチ）が設けられ、一方、前記カウント入賞口３９には入球した遊技球を検出するカウント入賞口検知センサ（検知スイッチ）が設けられている。
【００３２】
前記右袖入賞口４４は、上部が開口して入球可能となっており、該右袖入賞口４４に入球した遊技球を検出する右袖入賞口検出センサ（検出スイッチ）が設けられている。
【００３３】
前記左下装飾装置５１は、図５及び図６に示すように、前面側が開口したケース体５３、前記ケース体５３内の前面側に収容されるランプ基板５５、前記ランプ基板５５の前面側を保護するカバー体５９、前記カバー体５９の前面側に配置される遊技盤取付台板６１、前記遊技盤取付台板６１の前面側の一部に配置される前飾り６３よりなる。
【００３４】
前記ランプ基板５５には７セグメント表示装置からなる普通図柄表示装置５６と、ＬＥＤからなる左サイドランプ５７が設けられ、前記左下装飾装置５１の前面側から普通図柄表示装置５６及び左サイドランプ５７が視認可能となっている。前記ランプ基板５５の裏側にはコネクタが配設され、後述のサブ制御基板２０５とハーネスで接続されている。
【００３５】
さらに、前記遊技盤取付台板６１には遊技盤開放検出スイッチ６５と左袖入賞口６２が取り付けられている。前記遊技盤開放検出スイッチ６５は、本発明において、前記遊技盤に配置されて前記透明板保持枠の少なくとも一部が前記遊技盤保持枠に対して開放したことを検出する第２透明板保持枠開放検出手段に相当する。前記遊技盤開放検出スイッチ６５は押しボタン式スイッチからなる。前記遊技盤開放検出スイッチ６５の押しボタン６６は、該押しボタン６６の内部に設けられているスプリング等により遊技機の前方方向へ突出した状態に付勢されており、突出した状態から押すことが可能になっている。前記押しボタン６６は本発明における第２透明板保持枠開放検出手段の押部に相当し、前記前飾り６３の押しボタン用開口部６４から遊技機前方方向へ突出している。前記遊技盤開放検出スイッチ６５は、前記押しボタン６６の突出した状態と押された状態とをそれぞれ検出可能となっている。本実施例では、前記押しボタン６６が押された状態がＯＦＦ、突出した状態がＯＮとなっている。前記遊技盤開放検出スイッチ６５の裏側にはコネクタが設けられ、後述のサブ制御基板２０５と接続されている。前記左袖入賞口６２は、上部が開口して入球可能となっており、該左袖入賞口６２に入球した遊技球を検出する左袖入賞口検出センサ（検出スイッチ）が設けられている。前記遊技盤開放検出スイッチ６５は、前記左下装飾装置５１を介して遊技盤２の下方側、すなわち遊技領域６の下方側に取り付けられる。また、前記遊技盤開放検出スイッチ６６の位置は、前記ガラス枠Ｗ３が前面枠Ｗ２に対して閉鎖した状態において、前記押しボタン６６が、前記ガラス枠Ｗ３に取り付けられている後述のガラス板Ｇで押されてＯＦＦなる位置となっている。
【００３６】
また、前記前面枠Ｗ２における前記開口７１よりも上方の上部前面には、前記遊技盤２の左下部（遊技領域６の左下部）に設けられた前記遊技盤開放検出スイッチ６５（第２透明板保持枠開放検出手段）とは異なる前面枠開放検出スイッチ６７が設けられている。前記前面枠開放検出スイッチ６７は、本発明において、前記遊技盤保持枠に配設されて前記透明板保持枠の少なくとも一部が前記遊技盤保持枠に対して開放したことを検知する第１透明板保持枠開放検出手段に相当する。前記前面枠開放検出スイッチ６５は押しボタン式スイッチからなる。前記前面枠開放検出スイッチ６５の押しボタン６８は、該押しボタン６８の内部に設けられているスプリング等により遊技機の前方方向へ突出した状態に付勢され、突出した状態から押すことが可能になっている。前記前面枠開放検出スイッチ６７の押しボタン６８は、本発明における第１透明板保持枠開放検出手段の押部に相当し、突出した状態と押された状態とをそれぞれ検出可能となっている。本実施例では、前記押しボタン６８が押された状態がＯＦＦ、突出した状態がＯＮとなっている。前記前面枠開放検出スイッチ６７の裏側にはコネクタが設けられ、ハーネスによって後述のサブ制御基板２０５と接続されている。前記前面枠開放検出スイッチ６７の位置は、前記ガラス枠Ｗ３が前記前面枠Ｗ２に対して閉鎖した状態において、前記押しボタン６８が、前記ガラス枠Ｗ３に取り付けられている後述のガラス板Ｇ以外の部分で押されてＯＦＦなる位置となっている。
【００３７】
このように、本実施例では、前記前面枠開放検出スイッチ（第１透明板保持枠開放検出手段）６７は前記前面枠（遊技盤保持枠）Ｗ２の上方側に位置し、他方、前記遊技盤開放検出スイッチ（第２透明板保持枠開放検出手段）６５は前記遊技盤２の下方側に位置し、前記遊技領域６の表示装置１０に対して互いに反対側に位置する。
【００３８】
前記ガラス枠Ｗ３は、前記遊技盤２の遊技領域６と対向する上部側にガラス取付窓８１が形成されている。前記ガラス取付窓８１は、前記遊技領域６とほぼ同じ大きさからなり、前記ガラス取付窓８１の裏側にガラス板Ｇが着脱可能に取り付けられることにより前記ガラス板Ｇで塞がれる。前記ガラス板Ｇは本発明における透明板に相当する。前記ガラス取付窓８１の裏側周縁の複数箇所には、前記ガラス板Ｇを着脱可能に取り付けるための取付部８３が設けられている。前記取付部８３は、前記ガラス取付窓８１の裏側周縁に軸着された回動可能片からなる。前記ガラス取付窓８１の裏側に前記ガラス板Ｇを配置し、前記取付部８３を回転させて、該取付部８３と前記ガラス取付窓８１の裏側周縁とで、前記ガラス板Ｇの外周を挟持することによりガラス板Ｇが取り付けられる。一方、前記ガラス板Ｇを外す際には、前記取付部８３を回転させて前記ガラス板Ｇの外周挟持を解除する。
【００３９】
前記ガラス枠Ｗ３の下部前面には、前記発射装置８７へ供給する遊技球と払い出された遊技球を受けるための上側球受け皿７５が設けられている。
【００４０】
また、前記ガラス枠Ｗ３及び前記前面枠Ｗ２の軸着側とは反対の側部、本実施例では右側部には、前記ガラス枠Ｗ３及び前記前面枠Ｗ２の開閉用鍵装置９１が設けられている。本実施例では、前記開閉用鍵装置９１の鍵孔９２が前記前面枠Ｗ２の前面における右下部に設けられており、前記鍵孔９２に鍵を挿入して一方向へ回転させることにより前記ガラス枠Ｗ３及び前記前面枠Ｗ２を前記外枠Ｗ１に対して閉じた状態に固定することができ、反対方向に回転させることにより、前記ガラス枠Ｗ３及び前記前面枠Ｗ２をそれぞれ開放させることができる。
【００４１】
前記ガラス枠Ｗ３と前記前面枠Ｗ２を閉鎖した状態では、前記前面枠Ｗ２の上部に位置する前記前面枠開放検出スイッチ（第１透明板保持枠開放検出手段）６７の押しボタン６８が前記ガラス枠Ｗ１で押されてＯＦＦの状態となり、また前記遊技盤２の下部に位置する前記遊技盤開放検知イッチ（第２透明板保持枠開放検出手段）６５の押しボタン６６が前記ガラス枠Ｗ３のガラス板Ｇで押されたＯＦＦの状態となり、前記ガラス枠Ｗ３の閉鎖が前記前面枠開放検出スイッチ（第１透明板保持枠開放検出手段）６７と前記遊技盤開放検出スイッチ（第２透明板保持枠開放検出手段）６５の両方により検知される。
【００４２】
一方、前記ガラス枠Ｗ３が前記前面枠Ｗに対して開放した状態では、前記前面枠Ｗ２の上部に位置する前記前面枠開放検出スイッチ（第１透明板保持枠開放検出手段）６７の押しボタン６８と、前記遊技盤２の下部に位置する前記遊技盤開放検出スイッチ（第２透明板保持枠開放検出手段）６５の押しボタン６６が、両方共押されることなく突出したＯＮの状態となり、前記ガラス枠Ｗ３の開放が前記前面枠開放検出スイッチ（第１透明板保持枠開放検出手段）６７と前記遊技盤開放検出スイッチ（第２透明板保持枠開放検出手段）６５の両方で検知され、前記スピーカ７８からなる報知手段で開放が報知される。
【００４３】
また、前記ガラス枠Ｗ３の上部が閉じ、下部が開放した状態では、前記前面枠Ｗ２の上部に位置する前記前面枠開放検出スイッチ（第１透明板保持枠開放検出手段）６７については押しボタン６８が押されたＯＦＦの状態となるが、前記遊技盤２の下部に位置する前記遊技盤開放検出スイッチ（第２透明板保持枠開放検出手段）６５については、押しボタン６６が押されることなく突出したＯＮの状態となって、前記ガラス枠Ｗ３の開放が検知され、前記スピーカ７８からなる報知手段で開放が報知される。
【００４４】
一方、前記ガラス枠Ｗ３の上部が開放し、下部が閉じた状態では、前記遊技盤２の下部に位置する前記遊技盤開放検出スイッチ（第２透明板保持枠開放検出手段）６５については、押しボタン６６が押されたＯＦＦの状態となるが、前記前面枠Ｗ２の上部に位置する前記前面枠開放検出スイッチ（第１透明板保持枠開放検出手段）６７については、押しボタン６８が押されることなく突出したＯＮの状態となって、前記ガラス枠Ｗ３が開放していることが検知され、前記スピーカ７８からなる報知手段で開放が報知される。
【００４５】
また、前記ガラス枠Ｗ３が閉じた状態であっても、前記ガラス枠Ｗ３が前記前面枠Ｗ２から外れた状態となっている場合には、前記遊技盤２の下部に位置する前記遊技盤開放検出スイッチ（第２透明板保持枠開放検出手段）６５の押しボタン６６が押されることなく突出したＯＮの状態となって、前記ガラス枠Ｗ３の開放（ガラス板Ｇの外れ）が検知され、前記スピーカ７８からなる報知手段で開放が報知される。
【００４６】
前記機構板Ｋは、前記前面枠Ｗ２内において前記遊技盤２の背面側に配置される。前記機構板Ｋには、図３に示すように、複数の制御基板や装置等が設けられている。制御基板の主なものとして、主制御基板２００、サブ制御基板２０５、表示制御基板２１０、音声制御基板２２０、払出制御基板２４０、電源基板２５０、発射制御基板２６０等がある。また符号２６５は外部端子、２８１は払出装置、２８３は球無し検出スイッチ、２８９は球貯留タンク、２９１は球誘導樋である。なお各制御基板には制御回路が設けられている。また、各制御基板は、単独でまたは複数まとめてケースに収納された状態で遊技機１の裏側に配置されている。主な制御基板を、図７のブロック図を用いて簡略に示す。
【００４７】
主制御基板（主制御回路）２００は、遊技を制御する主制御手段に相当し、ＣＰＵ、ＲＡＭ、ＲＯＭおよび複数のカウンタを備えたマイクロコンピュータを少なくとも備え、サブ制御基板２０５、払出制御基板２４０と接続され、また中継回路を介して種々の入賞装置等と接続されている。前記主制御基板２００のＣＰＵは制御プログラムを実行して遊技情報に従って遊技に関わる主制御を行う。遊技情報は、前記入賞装置の入賞情報や、払出情報等、遊技の進行に必要な情報である。前記主制御基板２００は電源基板２５０から電源供給を受けて作動する。
【００４８】
前記主制御基板２００におけるＣＰＵは、制御部，演算部，各種カウンタ、各種レジスタ，各種フラグ等を備え、演算制御を行う他、乱数値も生成し、また制御信号を接続されている各基板等へ出力（送信）可能に構成されている。なお、前記主制御基板２００のＣＰＵは、大当たり等の当否判定を行う当否判定手段としても機能する。
【００４９】
前記主制御基板２００から出力される制御信号（コマンド）には、大当たり判定結果に基づく態様により前記表示装置１０で特別図柄を変動表示させるための変動データ、前記表示装置１０で表示する大当たり判定結果データ、前記普通図柄表示装置５６に表示させるための当たり判定結果データが少なくとも含まれる。前記主制御基板２００から出力される制御信号には、その他、電源投入時、異常時、大当たりラウンド時等のデータを挙げることができる。
【００５０】
前記ＲＡＭは、ＣＰＵで生成される各種乱数値用の記憶領域、遊技に必要な遊技データ等の各種データを一時的に記憶する記憶領域や、遊技情報を記憶する記憶領域やフラグ、ＣＰＵの作業領域を備える。
【００５１】
前記ＲＯＭは、前記ＣＰＵのための制御プログラムや制御データ、前記表示装置１０の変動表示に関する変動態様や図柄データ等が書き込まれている他、当否判定のための判定値等が書き込まれている。
【００５２】
サブ制御基板２０５は、ＣＰＵ、ＲＯＭ、ＲＡＭ、複数のカウンタを備えたマイクロコンピュータと、前記主制御基板２００とを結ぶ入出力回路と、表示制御基板２１０やランプ中継基板、音声制御基板２２０、前面枠開放検出スイッチ（第１透明板保持枠開放検出手段）６７、遊技盤開放検出スイッチ（第２透明板保持枠開放検出手段）６５とを結ぶ入出力回路を備えている。前記サブ制御基板２０５は、前記主制御基板２００から出力された制御信号に従って遊技の制御を行う。また、前記サブ制御基板２０５には、前記前面枠開放検出スイッチ（第１透明板保持枠開放検出手段）６７から出力される前面枠ＳＷ開放信号と前記遊技盤開放検出スイッチ（第２透明板保持枠開放検出手段）６５から出力される遊技盤ＳＷ開放信号が入力される。前記前面枠ＳＷ開放信号には、ＯＮ信号（前面枠開放検出スイッチ６７の押しボタン６８が押されずに突出している状態）と、ＯＦＦ信号（前面枠開放検出スイッチ６７の押しボタン６８が押されている状態）がある。同様に、前記遊技盤ＳＷ開放信号には、ＯＮ信号（遊技盤開放検出スイッチ６５の押しボタン６６が押されずに突出している状態）と、ＯＦＦ信号（遊技盤開放検出スイッチ６５の押しボタン６６が押されている状態）がある。また、本実施例では前記サブ制御基板２０５はランプ制御基板を兼ねており、前記主制御基板２００から出力された制御信号を受信し、受信した制御信号に基づいて、ランプ中継基板や表示制御基板２１０へ制御信号を出力している。前記主制御基板２００からの制御信号には、前記表示装置１０に対する変動データや前記右サイドランプ４３及び前記左サイドランプ５７に対する制御信号等が含まれている。また、前記サブ制御基板２０５のＲＯＭは制御用のプログラムやデータ定数等が記憶され、また前記ＲＡＭは各種データの記憶領域とＣＰＵによる作業領域を有している。前記ランプ中継基板には前記右サイドランプ４３及び前記左サイドランプ５７が接続され、前記サブ制御基板２０５からランプ中継基板に送信された制御信号によって、前記右サイドランプ４３及び前記左サイドランプ５７の作動を制御する。前記サブ制御基板２０５は電源基板２５０から電源供給を受けて作動する。
【００５３】
表示制御基板２１０は、ＣＰＵ、ＲＯＭ、ＲＡＭを備えたマイクロコンピュータと、前記サブ制御基板２０５を結ぶ入力回路と前記表示装置１０及び普通図柄表示装置５６を結ぶ出力回路等で構成され、前記サブ制御基板２０５から出力される制御信号に基づいて、前記表示装置１０や普通図柄表示装置５６における表示の制御を行う。前記表示制御基板２１０のＲＯＭには制御用のプログラムが記憶されている。前記表示制御基板２１０は、前記サブ制御基板２０５からの制御信号に基づきＣＰＵがＲＯＭから所定の表示制御データを読み出し、ＲＡＭの記憶領域で制御用データを生成してＶＤＰ（図示せず）に出力する。ＶＤＰは、ＣＰＵからの指令に基づいてＲＯＭから必要なデータを読み出し、表示画像のマップデータを作成し、ＶＲＡＭに格納する。ＶＲＡＭに格納記憶された画像データは、出力回路に備えるＤ／Ａ変換回路にてＲＧＢ信号に変換されて表示装置１０に出力される。
【００５４】
音声制御基板２２０は、前記サブ制御基板２０５から出力される信号により音声信号を合成し、アンプに出力する。アンプは音声信号を増幅してスピーカ７８に出力する。
【００５５】
払出制御基板２４０は、遊技球の払出を制御する払出制御手段に相当し、ＣＰＵ、ＲＯＭ、ＲＡＭを備えたマイクロコンピュータを有する。前記払出制御基板２４０は前記主制御基板２００と電気的接続手段で接続され、前記主制御基板２００から出力される制御信号を受信して払出装置２８１を制御する。前記払出制御基板２４０は電源基板２５０から供給される電源によって作動する。前記払出制御基板２４０のＲＯＭには制御用のプログラムが記憶されている。前記払出制御基板２４０のＲＡＭは、種々の入賞口（入賞装置）への入賞検出に基づき前記払出装置２８１により払い出される賞品球（遊技球）の払出個数を、１入賞球の検出に対する払出個数毎に記憶可能となっている。
【００５６】
電源基板２５０は、遊技機１の外部より供給される主電源から遊技機１に適する所定電圧の遊技機用電源を生成して主制御基板２００やサブ制御基板２０５、払出制御基板２４０等に供給するものであり、電源装置に相当する。前記主電源は、遊技店側で所要の電圧、本実施例では直流（ＡＣ）２４Ｖに変換されて供給される。
【００５７】
発射制御基板２６０は、前記発射装置８７における発射モータの制御を行う。
【００５８】
ここで前記遊技機１における遊技について簡略に説明する。前記発射装置８７により発射された発射球は、遊技領域６に誘導され、前記遊技領域６に誘導された遊技球は、転動しつつ下方へ落下し、前記各装置及び各入賞口に入賞するか、或いは何処にも入賞しなければ前記アウト口２７から遊技盤２の裏側へ排出される。前記遊技領域６へ向けて発射された遊技球が、前記種々の入賞口に入賞すると入賞口に応じた所定数の遊技球が賞球として上側球受け皿７５に払い出される。
【００５９】
また、通常中遊技者は、前記左始動口２１へ向けて遊技球を発射させる。そして、前記左始動口２１に遊技球が入賞すると、前記主制御基板２００における当否判定処理によって１／４００の確率で当たりが抽選される。その際、前記表示装置１０では特別図柄が所定時間変動表示され、前記抽選の結果、当たりを獲得した場合には、前記表示装置１０で当たり特別図柄が停止表示されて当たりが報知される。当たりになると、前記左大入賞口２３が開放され、該左大入賞口２３の開放を１５回（１５ラウンド）繰り返す１５Ｒ大当たり遊技が実行される。
【００６０】
また、前記当たりを獲得した際には、前記１５Ｒ大当たりの終了後に時短を行うか否かについて判定される。その際、時短を行うと判定される確率は１／２に設定されている。時短になると、前記表示装置１０における特別図柄の変動表示時間が通常時の場合（時短が行われない場合）よりも短縮されると共に、右側に位置する前記ゲート３１を遊技球が通過した場合に行われる前記右始動口３３の開放に対する抽選の当たり確率が、時短が行われていない通常時の場合における１／４００から１／１（すなわち１００％）に変更される。そのため、遊技者は、前記ゲート３１を遊技球が通過するように、前記遊技領域６の右側を狙って遊技球を発射させる右打ちを行うようになる。なお、前記ゲート３１を遊技球が通過すると前記普通図柄表示装置５６で普通図柄が変動表示し、当たり図柄で停止表示することにより当たりが報知される。
【００６１】
前記ゲート３１を遊技球が通過して当たりを獲得することにより、前記右始動口３３が開放した場合には、さらに前記右始動口３３に遊技球を入賞させるため、遊技者は右打ちを続ける。前記右始動口３５に遊技球が入賞すると、前記右大入賞口３５が開放して該右大入賞口３５に遊技球が入賞可能となる。そして、前記右大入賞口３５に遊技球が入賞し、さらに前記Ｖ入賞口３７に入賞すると前記１５Ｒ大当たりが発生し、前記左大入賞口２３の１５Ｒ開放が実行される。また、前記Ｖ入賞口３７に入賞した時点で、前記時短が再度実行されるか否かの抽選が行われる。時短の再実行は８２／１００の確率に設定されている。この場合の時短は、前記右始動口３３に遊技球が入賞して前記特別図柄が１００回変動する間に前記Ｖ入賞口３７に入賞しなかった時点、あるいは前記Ｖ入賞口３７に入賞した時点で行われる時短の抽選に外れた時点で終了する。一方、前記カウント入賞口３９への入賞に対しては、大当たりとならず、時短に対する抽選も行われない。前記右大入賞口３５への入賞に対する賞品球の払出は、前記右大入賞口検知センサで入賞が検知された遊技球について行われる。また、前記右大入賞口検知センサで検知された遊技球の個数と、前記Ｖ入賞口検知センサ及びカウント入賞口検知センサで検知された遊技球の個数が異なる場合には、不正や故障等のおそれがあると判断され、前記スピーカ７８からなる報知手段で報知されるように構成されている。
【００６２】
このように、本実施例の遊技機１においては、前記のゲーム性からＶ入賞口３７に入賞した場合に、遊技者による賞品球の獲得数が多くなる。そのため、前記ガラス枠Ｗ３を開けたり、前記ガラス板Ｇをガラス枠Ｗ３から外したりして、ピアノ線等の鋼線を遊技盤上に挿入し、前記Ｖ入賞口３７に対して不正を行って不当な大当たりを獲得する可能性がある。しかし、本実施例の遊技機によれば、前記第１透明板保持枠開放検出手段（前面枠開放検出スイッチ６７）と前記第２透明板保持枠開放検出手段（遊技盤開放検出スイッチ６５）により、前記ガラス枠Ｗ３の開放や前記ガラス板Ｇの外れを、より確実に検出して報知することができるため、不正のおそれを低減することができる。
【００６３】
前記遊技機１のサブ制御基板２０５において行われる前記ガラス枠（透明板保持枠）Ｗ３の開放検出処理について説明する。前記ガラス枠（透明板保持枠）Ｗ３の開放検出処理では、前面枠側ガラス枠開放ＯＮ信号フラグＦ１と遊技盤側ガラス枠開放ＯＮ信号フラグＦ２が用いられる。前記前面枠側ガラス枠開放ＯＮ信号フラグＦ１は、前記前面枠ＳＷ開放信号がＯＮの場合、すなわち前記前面枠開放検出スイッチ６７の押しボタン６８が押されていない突出状態の場合に１とされ、他方、前記前面枠ＳＷ開放信号がＯＦＦの場合、すなわち前記前面枠開放検出スイッチ６７の押しボタン６８が押されている場合に０とされる。また、前記遊技盤側ガラス枠開放ＯＮ信号フラグＦ２は、前記遊技盤ＳＷ開放信号がＯＮの場合、すなわち前記遊技盤開放検出スイッチ６５の押しボタン６６が押されていない突出状態の場合に１とされ、他方、前記遊技盤ＳＷ開放信号がＯＦＦの場合、すなわち前記遊技盤開放検出スイッチ６５の押しボタン６６が押されている場合に０とされる。
【００６４】
図８のフローチャートに示すように、ガラス枠（透明板保持枠）開放検出処理１０では、枠（前面枠ＳＷ）開放検出処理（Ｓ１１）と枠（遊技盤ＳＷ）開放検出処理（Ｓ１２）が行われる。
【００６５】
前記枠（前面枠ＳＷ）開放検出処理（Ｓ１１）では、図９に示すように、前面枠側ガラス枠開放ＯＮ信号フラグＦ１が１か判断される（Ｓ１１−１）。前面枠側ガラス枠開放ＯＮ信号フラグＦ１が１にセットされていない場合には、前面枠ＳＷ開放信号がＯＮか判断される（Ｓ１１−２）。前面枠ＳＷ開放信号がＯＮではない場合（すなわち、前記前面枠開放検出スイッチ（第１透明板保持枠開放検出手段）６７でガラス枠Ｗ３が閉じていることを検出している場合）には、この枠（前面枠ＳＷ）開放検出処理（Ｓ１１）が終了する。一方、前面枠ＳＷ開放信号がＯＮの場合（すなわち、前記前面枠開放検出スイッチ（第１透明板保持枠開放検出手段）６７でガラス枠Ｗ３が開放していることを検出している場合）には、前記前面枠側ガラス枠開放ＯＮ信号フラグＦ１が１にセットされ（Ｓ１１−３）、その後にこの枠（前面枠ＳＷ）開放検出処理（Ｓ１１）が終了する。
【００６６】
また、前記Ｓ１１−１で前面枠側ガラス枠開放ＯＮ信号フラグＦ１が１と判断された場合、前面枠ＳＷ開放信号ＯＮか判断される（Ｓ１１−４）。前面枠ＳＷ開放信号ＯＮではない場合（すなわち、前記前面枠開放検出スイッチ（第１透明板保持枠開放検出手段）６７でガラス枠Ｗ３が閉じていることを検出している場合）には、枠閉鎖コマンドａが設定され（Ｓ１１−５）、前記前面枠側ガラス枠開放ＯＮ信号フラグＦ１が０に設定され（Ｓ１１−６）、設定されたコマンドが前記音声制御基板２２０に出力され（Ｓ１１−８）、その後にこの枠（前面枠ＳＷ）開放検出処理（Ｓ１１）が終了する。一方、前記Ｓ１１−４で前面枠ＳＷ開放信号ＯＮと判断された場合（すなわち、前記前面枠開放検出スイッチ（第１透明板保持枠開放検出手段）６７でガラス枠Ｗ３が開放していることを検出している場合）、枠開放コマンドａが設定され（Ｓ１１−７）、設定されたコマンドが前記音声制御基板２２０に出力され（Ｓ１１−８）、その後にこの枠（前面枠ＳＷ）開放検出処理（Ｓ１１）が終了する。
【００６７】
前記枠（遊技盤ＳＷ）開放検出処理（Ｓ１２）では、図１０に示すように、遊技盤側ガラス枠開放ＯＮ信号フラグＦ２が１か判断される（Ｓ１２−１）。遊技盤側ガラス枠開放ＯＮ信号フラグＦ２が１にセットされていない場合には、遊技盤ＳＷ開放信号がＯＮか判断される（Ｓ１２−２）。遊技盤ＳＷ開放信号がＯＮではない場合（すなわち、前記遊技盤開放検出スイッチ（第２透明板保持枠開放検出手段）６５でガラス枠Ｗ３が閉じていることを検出している場合）には、この枠（遊技盤ＳＷ）開放検出処理（Ｓ１２）が終了する。一方、遊技盤ＳＷ開放信号がＯＮの場合（すなわち、前記遊技盤開放検出スイッチ（第２透明板保持枠開放検出手段）６５でガラス枠Ｗ３が開放していることを検出している場合）には、前記遊技盤ガラス枠開放ＯＮ信号フラグＦ２が１にセットされ（Ｓ１２−３）、その後にこの枠（前面枠ＳＷ）開放検出処理（Ｓ１２）が終了する。
【００６８】
また、前記Ｓ１２−１で遊技盤側ガラス枠開放ＯＮ信号フラグＦ２が１と判断された場合、遊技盤ＳＷ開放信号がＯＮか判断される（Ｓ１２−４）。遊技盤ＳＷ開放信号がＯＮではない場合（すなわち、前記遊技盤開放検出スイッチ（第２透明板保持枠開放検出手段）６５でガラス枠Ｗ３が閉じていることを検出している場合）には、枠閉鎖コマンドｂが設定され（Ｓ１２−５）、前記遊技盤側ガラス枠開放ＯＮ信号フラグＦ２が０に設定され（Ｓ１２−６）、設定されたコマンドが前記音声制御基板２２０に出力され（Ｓ１２−８）、その後にこの枠（遊技盤ＳＷ）開放検出処理（Ｓ１２）が終了する。一方、前記Ｓ１２−４で遊技盤ＳＷ開放信号がＯＮと判断された場合（すなわち、前記遊技盤開放検出スイッチ（第２透明板保持枠開放検出手段）６５でガラス枠Ｗ３が開放していることを検出している場合）、枠開放コマンドｂが設定され（Ｓ１２−７）、設定されたコマンドが前記音声制御基板２２０に出力され（Ｓ１２−８）、その後にこの枠（遊技盤ＳＷ）開放検出処理（Ｓ１２）が終了する。
【００６９】
前記音声制御基板２２０におけるガラス枠の開放報知の処理について説明する。前記音声制御基板２２０では、図１１に示すように、報知音処理（Ｓ２０）が行われる。報知音処理（Ｓ２０）では、前記サブ制御基板２０５から枠開放コマンドａのみ受信したか（Ｓ２１）、枠開放コマンドｂのみ受信したか（Ｓ２２）、枠開放コマンドａ，ｂの双方を受信したか（Ｓ２３）、枠閉鎖コマンドａ，ｂの双方を受信したか（Ｓ２４）判断され、それらの何れでも無い場合には、この報知音処理（Ｓ２０）が終了する。
【００７０】
前記Ｓ２１で枠開放コマンドａのみ受信していると判断されると、報知音ａがスピーカ７８に出力され（Ｓ２５）、スピーカ７８で報知音ａを発する。また、前記Ｓ２２で枠開放コマンドｂのみ受信していると判断されると、報知音ｂがスピーカ７８に出力され（Ｓ２６）、スピーカ７８で報知音ｂを発する。また、前記Ｓ２３で枠開放コマンドａ，ｂの双方を受信したと判断されると、報知音ｃがスピーカ７８に出力され（Ｓ２７）、スピーカ７８で報知音ｃを発する。また、前記Ｓ２４で枠閉鎖コマンドａ，ｂの双方を受信したと判断されると、報知音ａ，ｂ，ｃの出力を停止する。前記Ｓ２８は報知を停止する停止手段に相当する。前記報知音ａ，ｂ，ｃの報知態様の例として、例えば報知音ａは「ピッピッ・・・」、報知音ｂは「ピッピーピッピー・・・」、報知音ｃは「ピー」の態様を挙げる。
【００７１】
本実施例では、前記ガラス枠Ｗ３が閉鎖していることを前記前面枠開放検出スイッチ及び前記遊技盤開放検出スイッチの両方で検出している状態では、報知音のコマンドが音声制御基板２２０に送信されることがない。一方、前記ガラス枠Ｗ３が開放した場合には、前面枠側ガラス枠開放ＯＮ信号フラグＦ１と遊技盤側ガラス枠開放ＯＮ信号フラグＦ２が１にセットされ、枠開放コマンドａ，ｂの双方が音声制御基板２２０に送信され、音声制御基板２２０で枠開放コマンドａ，ｂの双方を受信すると、報知音ｃをスピーカ７８から出力する。これらの報知状態で前記ガラス枠Ｗ３が正常に閉鎖されると、枠閉鎖コマンドａ，ｂの双方が音声制御基板２２０に送信され、音声制御基板２２０で枠閉鎖コマンドａ，ｂの双方を受信すると、報知音ｃの出力が停止される。
【００７２】
一方、前記遊技領域６内にピアノ線などを挿入し、入賞口にピアノ線を挿入することで不当に遊技球を払い出すことや、前記Ｖ入賞口３７に入賞させて大当たりを獲得するなどの不正を実行するために、前面枠開放検出スイッチあるいは遊技盤開放検出スイッチがＯＮとならないように、一方の開放検出スイッチが位置する部分でガラス枠Ｗ３を押さえ、それ以外の部分を開放させて該開放部分からピアノ線を挿入して不当な遊技球の払出や大当たりの獲得を得ようとしても、他方の開放検出スイッチがＯＮとなるため、警報音が鳴り出し、不正が行われていることの判明が可能となる。
【００７３】
また、双方の開放検出スイッチがＯＦＦとなるように、両方の開放検出スイッチが位置するガラス枠Ｗ３の部分を手で押さえた場合には、両手が塞がるため、ピアノ線を遊技領域内に挿入して不正を行うことが困難となる。
【００７４】
なお、ガラス枠Ｗ３を前面枠Ｗ２に対して開放させることなく、ガラス板Ｇのみガラス枠Ｗ３から外して不正を行う場合もあるため、前面枠開放検出スイッチ６７のみでは、ガラス板Ｇのみ外された場合、前面枠開放検出スイッチ６７がガラス枠Ｗ３の閉鎖状態を検出し、不正を判断するのが難しくなる。それに対して、本発明では、前面枠Ｗ２の前面枠開放検出スイッチ６７とは別に、遊技盤開放検出スイッチ６５が遊技盤２に配置されているため、ガラス枠Ｗ３を前面枠Ｗ２に対して開放させることなくガラス板Ｇのみをガラス枠Ｗ３から外して不正を行おうとしても、遊技盤２の遊技盤開放検出スイッチがＯＮとなって警報音が鳴り出し、不正が行われていることの判明が可能である。
【００７５】
このように、本実施例では、枠閉鎖コマンドａあるいは枠閉鎖コマンドｂのみをサブ制御基板２０５が受信した場合には、報知音が停止しない構成となっている。すなわち、前記ガラス枠Ｗ３が正しく閉鎖されない限りは、何らかの不正などにより、ガラス枠Ｗ３の一部が開いた半開き状態となっていることが報知されることから、異常が起きていることの判明が可能である。さらに、ガラス枠のみが外される不正に対しても報知されることから、異常が起きていることを判断することが可能である。
【００７６】
なお、本発明は、前記実施例に限定されるものではなく、発明の趣旨を逸脱しない範囲で変更可能である。例えば、本実施例では、遊技盤保持枠の上方側に第１透明板保持枠開放検出手段を設け、遊技盤の下方側に第２透明板保持枠開放検出手段を設けているが、それに限られるものではなく、遊技盤保持枠の下方側に第１透明板保持枠開放検出手段を設け、遊技盤の上方側に第２透明板保持枠開放検出手段を設けたり、遊技盤保持枠の左右の何れか一方の側方に第１透明板保持枠開放検出手段を設け、遊技盤における他方の側方に第２透明板保持枠開放検出手段を設けたりしてもよい。また、本実施例では、開放検出スイッチを２つ備えているが、３つ以上備えるようにしてもよい。また、開放検出手段として押すことが可能なスイッチを設けているが、磁気センサや赤外センサなどを設けて、それを受信しない位置にまでガラス枠が開放した場合にＯＮ信号を送信する構成にしてもよい。さらに、ガラス枠とガラスを一体的にしてもよい。この構成により、ガラスとガラス枠を嵌める開口部の隙間からピアノ線などを挿入することを抑制することが可能である。また、本実施例では、スイッチ（検出部）を前面枠及び遊技盤側に設けてガラス枠の裏面側やガラスの裏面（被検出部）で押すこと及び解除により検出の有無を行っているが、検出部をガラス枠やガラスに設けて、前面枠や遊技盤で押すこと及び解除により検出の有無を行ってもよい。
【００７７】
なお、ここまでの内容のまとめ等を行う。報知手段は、第１透明板保持枠開放検出手段又は第２透明板保持枠開放検出手段の何れか一方のみが検出された場合には透明板保持枠又は透明板の一部を開放するなどして不正を行っている可能性が高いので異常報知として報知する。一方、第１透明板保持枠開放検出手段及び第２透明板保持枠開放検出手段の双方が検出する場合、すなわち、透明板を保持した透明板保持枠を全開した場合には、不正を行っている異常開放と店員などが検査のために開放する正常開放の２通りの場合が考えられる。そこで、第１透明板保持枠開放検出手段及び第２透明板保持枠開放検出手段の双方が検出された場合には透明板を保持する透明板を保持する透明板保持枠が正常開放なのか異常開放なのかを判断する判断手段を備えたことを特徴とする。この構成により、透明板を保持する透明板保持枠が不正などの行為により開放したのか店員などが検査のために開放したのかを判断するのが可能である。具体例としては、検査などをする者が専用の操作スイッチなどを持っており、操作スイッチを操作して透明板を保持する透明板保持枠を開放した場合は、報知手段による報知を行わないようにし、操作スイッチの操作なしで開放した場合は報知手段による報知を行う構成とする。なお、報知音を変更するようにしてもよい。また、操作スイッチの代わりに透明板保持枠を開放するための鍵を使用するか否かで正常か異常かを判断するようにしてもよい。
【図面の簡単な説明】
【００７８】
【図１】本発明の一実施例に係る遊技機全体を示す正面図である。
【図２】同遊技機のガラス枠（透明板保持枠）の開放状態を示す概略斜視図である。
【図３】同遊技機の裏側を示す図である。
【図４】同遊技機の遊技盤を示す正面図である。
【図５】同遊技機における左下装飾装置の斜視図である。
【図６】同左下装飾装置の分解斜視図である。
【図７】同遊技機の制御基板や装置等の接続を簡略に示すブロック図である。
【図８】同遊技機のサブ制御基板におけるガラス枠開放検出処理のフローチャートである。
【図９】同ガラス枠開放検出処理における枠（前面枠ＳＷ）開放検出処理のフローチャートである。
【図１０】同ガラス枠開放検出処理における枠（遊技盤ＳＷ）開放検出処理のフローチャートである。
【図１１】同遊技機の音声制御基板における報知音処理のフローチャートである。
【符号の説明】
【００７９】
１  遊技機
２  遊技盤
１０  表示装置
６５  遊技盤開放検出スイッチ（第２透明板保持枠開放検出手段）
６６  遊技盤開放検出スイッチの押しボタン（押部）
６７  前面枠開放検出スイッチ（第１透明板保持枠開放検出手段）
６８  前面枠開放検出スイッチの押しボタン（押部）
７８  スピーカ
８７  発射装置
【図１】
2010104634.tif 000003
【図２】
2010104634.tif 000004
【図３】
2010104634.tif 000005
【図４】
2010104634.tif 000006
【図５】
2010104634.tif 000007
【図６】
2010104634.tif 000008
【図７】
2010104634.tif 000009
【図８】
2010104634.tif 000010
【図９】
2010104634.tif 000011
【図１０】
2010104634.tif 000012
【図１１】
2010104634.tif 000013